(57)【要約】  コンテンツ間の類似度に基づいて検索結果を提供する検索結果提供システムおよび検索結果提供方法を開示する。検索結果提供システムは、ユーザクエリに該当するコンテンツを検索するコンテンツ検索部と、前記検索されたコンテンツの少なくとも一部に基づいて類似コンテンツを確認する類似コンテンツ確認部と、前記ユーザクエリに対して前記検索されたコンテンツおよび前記類似コンテンツを提供するコンテンツ提供部と、を含む。
2011519103.tif 000002
【特許請求の範囲】
【請求項１】
ユーザクエリに該当するコンテンツを検索するコンテンツ検索部と、
前記検索されたコンテンツの少なくとも一部に基づいて類似コンテンツを確認する類似コンテンツ確認部と、
前記ユーザクエリに対して前記検索されたコンテンツおよび前記類似コンテンツを提供するコンテンツ提供部と、
を備えることを特徴とする検索結果提供システム。
【請求項２】
前記類似コンテンツ確認部は、
前記検索されたコンテンツの少なくとも一部に該当する語彙に基づくコンテンツ間の類似度によって前記類似コンテンツを確認することを特徴とする請求項１に記載の検索結果提供システム。
【請求項３】
前記類似コンテンツ確認部は、
前記検索されたコンテンツの少なくとも一部に対する代表キーワードを確認する代表キーワード確認部と、
前記確認された代表キーワードと同一の代表キーワードを有するコンテンツを前記類似コンテンツとして決定する類似コンテンツ決定部と、
を含むことを特徴とする請求項１に記載の検索結果提供システム。
【請求項４】
前記代表キーワードは、クリックログに基づいて決定されることを特徴とする請求項３に記載の検索結果提供システム。
【請求項５】
前記ユーザクエリは、ユーザ端末を介して受信され、
前記コンテンツ提供部は、
前記検索されたコンテンツおよび前記類似コンテンツを含むページのＵＲＬ情報、または前記検索されたコンテンツおよび前記類似コンテンツをそれぞれ含むページのＵＲＬ情報を前記ユーザ端末に送信することを特徴とする請求項１に記載の検索結果提供システム。
【請求項６】
ユーザクエリに該当するキーワードを購入した広告主の広告を検索する広告検索部と、
前記広告主の広告のうち少なくとも一部に基づいて類似広告を確認する類似広告確認部と、
前記ユーザクエリに対して前記広告主の広告および前記類似広告を提供する広告提供部と、
を備えることを特徴とする広告提供システム。
【請求項７】
前記類似広告確認部は、
前記広告主の広告のうち少なくとも一部に含まれた語彙に基づくコンテンツ間の類似度によって前記類似広告を確認することを特徴とする請求項６に記載の広告提供システム。
【請求項８】
前記類似広告確認部は、
前記広告主の広告のうち少なくとも一部に対する代表キーワードを確認する代表キーワード確認部と、
前記代表キーワードと同一の代表キーワードを有する広告を前記類似広告として決定する類似広告決定部と、
を備えることを特徴とする請求項６に記載の広告提供システム。
【請求項９】
ユーザクエリに該当するコンテンツを検索するコンテンツ検索部と、
前記検索されたコンテンツから前記広告を除く残りのコンテンツの少なくとも一部に基づいて追加広告を確認する追加広告確認部と、
前記コンテンツおよび前記追加広告を提供する広告提供部と、
を備えることを特徴とする広告提供システム。
【請求項１０】
前記追加広告確認部は、
前記残りのコンテンツの少なくとも一部に含まれた語彙に基づくコンテンツ間の類似度によって前記追加広告を確認することを特徴とする請求項９に記載の広告提供システム。
【請求項１１】
前記追加広告確認部は、
前記残りのコンテンツの少なくとも一部に対する代表キーワードを確認する代表キーワード確認部と、
前記代表キーワードと同一の代表キーワードを有する広告を前記追加広告として決定する追加広告決定部と、
を備えることを特徴とする請求項９に記載の広告提供システム。
【請求項１２】
前記代表キーワードは、クリックログに基づいて決定されることを特徴とする請求項８または請求項１１に記載の広告提供システム。
【請求項１３】
ユーザクエリに該当するコンテンツを検索し、
前記検索されたコンテンツの少なくとも一部に基づいて類似コンテンツを確認し、
前記ユーザクエリに対して前記検索されたコンテンツおよび前記類似コンテンツを提供すること、
を含むことを特徴とする検索結果提供方法。
【請求項１４】
前記検索されたコンテンツの少なくとも一部に基づいて類似コンテンツを確認することは、
前記検索されたコンテンツの少なくとも一部に該当する語彙に基づくコンテンツ間の類似度によって前記類似コンテンツを確認すること、を含むことを特徴とする請求項１３に記載の検索結果提供方法。
【請求項１５】
前記検索されたコンテンツの少なくとも一部に基づいて類似コンテンツを確認することは、
前記検索されたコンテンツの少なくとも一部に対する代表キーワードを確認し、
前記代表キーワードと同一の代表キーワードを有するコンテンツを前記類似コンテンツとして決定すること、
を含むことを特徴とする請求項１３に記載の検索結果提供方法。
【請求項１６】
ユーザクエリに該当するキーワードを購入した広告主の広告を検索し、
前記広告主の広告のうち少なくとも一部に基づいて類似広告を確認し、
前記ユーザクエリに対して前記広告主の広告および前記類似広告を提供すること、
を含むことを特徴とする広告提供方法。
【請求項１７】
前記広告主の広告のうち少なくとも一部に基づいて類似広告を確認することは、
前記広告主の広告のうち少なくとも一部に含まれた語彙に基づくコンテンツ間の類似度によって前記類似広告を確認すること、を含むことを特徴とする請求項１６に記載の広告提供方法。
【請求項１８】
前記広告主の広告のうち少なくとも一部に基づいて類似広告を確認することは、
前記広告主の広告のうち少なくとも一部に対する代表キーワードを確認し、
前記確認された代表キーワードと同一の代表キーワードを有する広告を前記類似広告として決定すること、
を含むことを特徴とする請求項１６に記載の広告提供方法。
【請求項１９】
ユーザクエリに該当するコンテンツを検索し、
前記検索されたコンテンツから広告を除く残りのコンテンツの少なくとも一部に基づいて追加広告を確認し、
前記コンテンツおよび前記追加広告を提供すること、
を含むことを特徴とする広告提供方法。
【請求項２０】
前記検索されたコンテンツから広告を除く残りのコンテンツの少なくとも一部に基づいて追加広告を確認することは、
前記残りのコンテンツの少なくとも一部に含まれた語彙に基づくコンテンツ間の類似度によって前記追加広告を確認すること、を含むことを特徴とする請求項１９に記載の広告提供方法。
【請求項２１】
前記検索されたコンテンツから広告を除く残りのコンテンツの少なくとも一部に基づいて追加広告を確認することは、
前記残りのコンテンツの少なくとも一部に対する代表キーワードを確認し、
前記代表キーワードと同一の代表キーワードを有する広告を前記追加広告として決定すること、
を含むことを特徴とする請求項１９に記載の広告提供方法。
【請求項２２】
請求項１３乃至請求項２１のいずれか一項に記載の方法を実行するためのプログラムを記録することを特徴とするコンピュータで読み出し可能な記録媒体。
【発明の詳細な説明】
【技術分野】
【０００１】
本発明は、コンテンツ間の類似度に基づいて検索結果又は広告を提供するシステムおよび方法に関し、より詳しくは、キーワードを使用する代わりにコンテンツに基づいてさらに広告などのコンテンツを提供するシステムおよび方法に関する。
【背景技術】
【０００２】
キーワード広告（ｋｅｙｗｏｒｄ  ａｄｖｅｒｔｉｓｅｍｅｎｔ）は、広告主が特定キーワードを購入した後に、ユーザが該当キーワードで検索をした場合、その検索結果ページに独占的に広告を表示させる広告の１つの形態である。このようなキーワード広告は、特定製品や物に関心を有するユーザにのみ広告内容を見せることができるため、ターゲット化した広告効果を高めることができ、広告クリック率が高いという長所がある。
【０００３】
このようなキーワード広告分野において、広告主は自身の広告がユーザにより多く表示されることによって、広告効果を最大化する必要があり、メディアは広告が適用される範囲を拡大することによって売上げを上昇させる必要性がある。本明細書では、効率的に広告効果および売上げを上昇させることのできる検索結果提供システムおよび方法を提案する。
【発明の概要】
【発明が解決しようとする課題】
【０００４】
本発明は、ユーザが入力したユーザクエリ(ｕｓｅｒ  ｑｕｅｒｙ：ユーザ問合せ、以下、ユーザクエリという)によって検索されたコンテンツだけでなく、前記コンテンツ間の類似度によって確認された類似コンテンツをさらに提供することにより、前記ユーザに前記ユーザクエリに該当するさらに多くの検索結果をより効率的に提供できる検索結果提供システムおよび検索結果提供方法を提供する。
【０００５】
本発明は、ユーザが入力したユーザクエリによって検索された広告だけでなく、前記広告とのコンテンツ類似度によって確認された類似広告をさらに提供することにより、前記ユーザに追加広告を効率的に提供することができ、広告の効果と売上げを上昇させることのできる広告提供システムおよび方法を提供する。
【０００６】
本発明は、ユーザが入力したユーザクエリによって検索されたコンテンツのうち広告を除く残りのコンテンツによって追加広告を提供することによってユーザに追加広告を効率的に提供することができ、広告の効果と売上げを上昇させることのできる広告提供システムおよび方法を提供する。
【課題を解決するための手段】
【０００７】
本発明の一実施形態に係る検索結果提供システムは、ユーザクエリに該当するコンテンツを検索するコンテンツ検索部と、前記検索されたコンテンツの少なくとも一部に基づいて類似コンテンツを確認する類似コンテンツ確認部と、前記ユーザクエリに対して前記検索されたコンテンツおよび前記類似コンテンツを提供するコンテンツ提供部と、を含む。
【０００８】
本発明の一実施形態に係る検索結果提供システムは、前記類似コンテンツ確認部は、前記検索されたコンテンツの少なくとも一部に該当する語彙に基づくコンテンツ間の類似度によって前記類似コンテンツを確認してもよい。
【０００９】
本発明の実施形態に係る検索結果提供システムは、前記類似コンテンツ確認部は、前記検索されたコンテンツの少なくとも一部に対する代表キーワードを確認する代表キーワード確認部と、前記代表キーワードと同一の代表キーワードを有するコンテンツを前記類似コンテンツとして決定する類似コンテンツ決定部と、を含んでもよい。ここで、前記代表キーワードは、クリックログに基づいて決定してもよい。
【００１０】
本発明の一実施形態に係る検索結果提供システムは、前記ユーザクエリはユーザ端末を介して受信してもよく、前記コンテンツ提供部は、前記検索されたコンテンツおよび前記類似コンテンツを含むページのＵＲＬ情報、または前記検索されたコンテンツおよび前記類似コンテンツをそれぞれ含むページのＵＲＬ情報を前記ユーザ端末に送信してもよい。
【００１１】
本発明の一実施形態に係る広告提供システムは、ユーザクエリに該当するキーワードを購入した広告主の広告を検索する広告検索部と、前記広告主の広告のうち少なくとも一部に基づいて類似広告を確認する類似広告確認部と、前記ユーザクエリに対して前記広告主の広告および前記類似広告を提供する広告提供部と、を含む。
【００１２】
本発明の一実施形態に係る広告提供システムは、ユーザクエリに該当するコンテンツを検索するコンテンツ検索部と、前記検索されたコンテンツのうち広告を除く残りのコンテンツの少なくとも一部に基づいて追加広告を確認する追加広告確認部と、前記コンテンツおよび前記追加広告を提供する広告提供部と、を含む。
【００１３】
本発明の一実施形態に係る検索結果提供方法は、ユーザクエリに該当するコンテンツを検索し、前記検索されたコンテンツの少なくとも一部に基づいて類似コンテンツを確認し、前記ユーザクエリに対して前記検索されたコンテンツおよび前記類似コンテンツを提供すること、を含む。
【００１４】
本発明の一実施形態に係る広告提供方法は、ユーザクエリに該当するキーワードを購入した広告主の広告を検索し、前記広告主の広告のうち少なくとも一部に基づいて類似広告を確認し、前記ユーザクエリに対して前記広告主の広告および前記類似広告を提供すること、を含む。
【００１５】
本発明の一実施形態に係る広告提供方法は、ユーザクエリに該当するコンテンツを検索し、前記検索されたコンテンツのうち広告を除く残りのコンテンツの少なくとも一部に基づいて追加広告を確認し、前記コンテンツおよび前記追加広告を提供すること、を含む。
【発明の効果】
【００１６】
本発明によれば、ユーザが入力したユーザクエリによって検索されたコンテンツだけでなく、前記コンテンツ間の類似度によって確認された類似コンテンツをさらに提供することにより、前記ユーザに前記ユーザクエリに該当するさらに多くの検索結果をより効率的に提供することができる。
【００１７】
本発明によれば、ユーザが入力したユーザクエリによって検索された広告だけでなく、前記広告とのコンテンツ類似度によって確認された類似広告をさらに提供することにより、前記ユーザに追加広告を効率的に提供することができ、広告の効果と売上げを上昇させることができる。
【００１８】
本発明によれば、ユーザが入力したユーザクエリによって検索されたコンテンツのうち広告を除く残りのコンテンツによって追加広告を提供することにより、ユーザに追加広告を効率的に提供することができ、広告の効果と売上げを上昇させることができる。
【図面の簡単な説明】
【００１９】
【図１】本発明の一実施形態に係る検索結果提供システムの構成を示すブロック図である。
【図２】本発明の一実施形態に係る検索結果提供方法を示すフローチャートである。
【図３】本発明の一実施形態に係る検索結果提供システムの内部構成を示すブロック図である。
【図４】本発明の一実施形態に係る広告提供方法を示すフローチャートである。
【図５】本発明の一実施形態に係る広告提供の一例を示す図である。
【図６】本発明の一実施形態に係る広告提供システムの内部構成を示すブロック図である。
【図７】本発明の他の実施形態に係る広告提供方法を示すフローチャートである。
【図８】本発明の他の実施形態に係る広告提供の一例を示す図である。
【図９】本発明の他の実施形態に係る広告提供システムの内部構成を示すブロック図である。
【発明を実施するための形態】
【００２０】
以下、添付する図面を参照しながら本発明に係る多様な実施形態について詳細に説明する。
【００２１】
図１は、本発明の一実施形態に係る検索結果提供システムの構成を示すブロック図である。検索結果提供システム１００は、ユーザがユーザ端末１０１を用いて検索ページ１０２を介して入力するユーザクエリ１０３を受信し、複数のコンテンツ１０４のうちユーザクエリ１０３に該当するコンテンツを検索してもよい。この時、検索結果提供システム１００は、ユーザクエリ１０３に対して検索されたコンテンツ１０５だけでなく、類似コンテンツ１０６を少なくとも含む検索結果を生成し、検索結果ページ１０７をユーザ端末１０１を介して表示させたり、検索結果ページ１０７を介して検索されたコンテンツ１０５および類似コンテンツ１０６のそれぞれを含むページのＵＲＬ情報を表示させることによって、前記ユーザがユーザクエリ１０３を用いてより多くの検索結果を提供されるようにしてもよい。このような類似コンテンツ１０６は、検索されたコンテンツ１０５およびコンテンツ間の類似度に基づいて確認されてもよい。本明細書において、「類似度」という用語は、文書、広告などのコンテンツ間の類似の程度を意味してもよく、前記類似度の測定には、単語間の関連度、Ｔ＆Ｄ（Ｔｉｔｌｅ  ａｎｄ  Ｄｅｓｃｒｉｐｔｉｏｎ）関連性などのように前記コンテンツ間に類似の程度を示すためのすべての方法を用いてもよい。しかし、本発明の実施形態では、説明の便宜のためにそれぞれのコンテンツに対する代表キーワード間の同一性の有無による類似度の有無だけを確認することにより、コンテンツ間の類似の程度を確認する。すなわち、下記にて説明する実施形態では記載していないが、様々な等級の類似度を測定し、基準となる等級以上の類似度を有するコンテンツだけをさらに提供してもよい。
【００２２】
図２は、本発明の一実施形態に係る検索結果提供方法を示すフローチャートである。ここで、本発明の一実施形態に係る検索結果提供方法は、本発明の一実施形態に係る検索結果提供システムによって実行してもよい。図２では、前記検索結果提供システムがそれぞれのステップを実行する過程を説明することにより、前記検索結果の提供方法を説明する。
【００２３】
ステップＳ２１０において、前記検索結果提供システムは、ユーザクエリに該当するコンテンツを検索する。この時、前記検索結果提供システムは、ユーザから入力された前記ユーザクエリに対して検索エンジンなどを用いて前記ユーザクエリに該当するコンテンツを検索してもよい。
【００２４】
ステップＳ２２０において、前記検索結果提供システムは、前記検索されたコンテンツの少なくとも一部に基づいて類似コンテンツを確認する。すなわち、前記検索されたコンテンツは、１つまたは１つ以上のコンテンツを含んでもよく、前記検索結果提供システムは、前記１つまたは１つ以上のコンテンツの少なくとも一部を用いて前記類似コンテンツを確認してもよい。例えば、前記ユーザクエリに対して３つのコンテンツが検索された場合、前記３つのコンテンツのうち２つのコンテンツのそれぞれに対して、前記類似コンテンツを確認してもよい。または、前記３つのコンテンツのうち１つのコンテンツに対して、前記類似コンテンツを確認し、前記１つのコンテンツのうちの一部を介して前記類似コンテンツを確認してもよい。
【００２５】
上記処理のために、前記検索結果提供システムは、前記検索されたコンテンツの少なくとも一部に該当する語彙に基づくコンテンツ間の類似度によって前記類似コンテンツを確認してもよい。例えば、前記検索結果提供システムは、図２に示すように、ステップＳ２２０にステップＳ２２１およびステップＳ２２２を含んで実行してもよい。
【００２６】
ステップＳ２２１において、前記検索結果提供システムは、前記検索されたコンテンツの少なくとも一部に対する代表キーワードを確認してもよい。すなわち、前記検索結果提供システムは、一例として、前記検索されたコンテンツのうち少なくとも一部または少なくとも一部のコンテンツのそれぞれに対する代表キーワードを確認してもよい。一例として、前記代表キーワードは、クリックログに基づいて決定してもよい。すなわち、ユーザクエリのそれぞれに対するクリックログを用いてコンテンツのそれぞれに対する代表キーワードを決定してもよい。前記一実施形態では、前記クリックログを用いてコンテンツに対する代表キーワードを決定する方法を説明したが、これは、本発明のより全般的な理解を助けるために提供したものにすぎず、本発明は、前記の実施形態に限定されるものではなく、本発明が属する分野で通常の知識を有する者であれば、このような記載から多様な修正および変形が可能である。例えば、前記クリックログの代わりに、それぞれのコンテンツまたはコンテンツの一部に最も多く含まれるキーワードを代表キーワードとして決定し、またはコンテンツのキーワードのうち前記ユーザクエリと単語間の関連度が最も高いキーワードを前記代表キーワードとして決定してもよい。
【００２７】
ステップＳ２２２において、前記検索結果提供システムは、前記代表キーワードと同一の代表キーワードを有するコンテンツを前記類似コンテンツとして決定する。上述のように、それぞれのコンテンツに対して代表キーワードを決定してもよい。前記検索結果提供システムは、前記検索されたコンテンツに対して決定した代表キーワードと同一のキーワードを代表キーワードとして有する他のコンテンツを前記類似コンテンツとして決定してもよい。例えば、前記検索されたコンテンツのうち１つのコンテンツの代表キーワードが「電球」である場合、全体のコンテンツのうち代表キーワードが「電球」であるすべてのコンテンツを前記類似コンテンツとして決定してもよい。この時、予め設定された数または制限された数に合うように前記類似コンテンツの数を調節してもよい。
【００２８】
ステップＳ２３０において、前記検索結果提供システムは、前記ユーザクエリに対して前記検索されたコンテンツおよび前記類似コンテンツを提供する。この時、前記ユーザクエリはユーザ端末を介して受信してもよく、前記検索結果提供システムは、前記検索されたコンテンツおよび前記類似コンテンツを含むページ、または前記検索されたコンテンツおよび前記類似コンテンツをそれぞれ含むページのＵＲＬ情報を前記ユーザ端末に送信することによって、前記検索されたコンテンツおよび前記類似コンテンツを提供してもよい。
【００２９】
したがって、従来は、前記ユーザクエリに対して前記検索されたコンテンツだけを提供したが、本発明の一実施形態に係る検索結果提供方法によれば、前記検索されたコンテンツだけでなく、前記検索されたコンテンツと類似度を有する類似コンテンツを共に提供することによって、ユーザにより多様な検索結果を提供することができる。
【００３０】
図３は、本発明の一実施形態に係る検索結果提供システムの内部構成を示すブロック図である。図３に示すように、本発明の一実施形態に係る検索結果提供システム３００は、コンテンツ検索部３１０、類似コンテンツ確認部３２０、およびコンテンツ提供部３３０を含む。
【００３１】
コンテンツ検索部３１０は、ユーザクエリに該当するコンテンツを検索する。この時、コンテンツ検索部３１０は、ユーザから入力された前記ユーザクエリに対して検索エンジンなどを用いて前記ユーザクエリに該当するコンテンツを検索してもよい。
【００３２】
類似コンテンツ確認部３２０は、前記検索されたコンテンツの少なくとも一部に基づいて類似コンテンツを確認する。すなわち、前記検索されたコンテンツは、１つまたは１つ以上のコンテンツ含んでもよく、類似コンテンツ確認部３２０は、前記１つまたは１つ以上のコンテンツの少なくとも一部を用いて前記類似コンテンツを確認してもよい。例えば、前記ユーザクエリに対して３つのコンテンツが検索された場合、前記３つのコンテンツのうち２つのコンテンツのそれぞれに対して、前記類似コンテンツを確認してもよい。または、前記３つのコンテンツのうち１つのコンテンツに対して、前記類似コンテンツを確認し、前記１つのコンテンツのうちの一部を介して前記類似コンテンツを確認してもよい。
【００３３】
上記処理のために、類似コンテンツ確認部３２０は、前記検索されたコンテンツの少なくとも一部に該当する語彙に基づくコンテンツ間の類似度によって前記類似コンテンツを確認してもよい。例えば、類似コンテンツ確認部３２０は、図３に示すように代表キーワード確認部３２１、および類似コンテンツ決定部３２２を含んでもよい。
【００３４】
代表キーワード確認部３２１は、前記検索されたコンテンツの少なくとも一部に対する代表キーワードを確認してもよい。すなわち、代表キーワード確認部３２１は、一例として、前記検索されたコンテンツのうち少なくとも一部または少なくとも一部のコンテンツのそれぞれに対する代表キーワードを確認してもよい。一例として、前記代表キーワードはクリックログに基づいて決定してもよい。すなわち、ユーザクエリのそれぞれに対するクリックログを用いてコンテンツのそれぞれに対する代表キーワードを決定してもよい。前記一実施形態では、前記クリックログを用いてコンテンツに対する代表キーワードを決定する代表キーワード確認部３２１について説明したが、これは本発明のより全般的な理解を助けるために提供したにすぎず、本発明は前記の実施形態に限定されるものではなく、本発明が属する分野で通常の知識を有する者であれば、このような記載からさまざまな修正および変形が可能である。例えば、代表キーワード確認部３２１は、前記クリックログではなく、それぞれのコンテンツまたは、前記コンテンツの一部に最も多く含まれるキーワードをコンテンツに対する代表キーワードとして決定し、またはコンテンツのキーワードのうち前記ユーザクエリと単語間の関連度が最も高いキーワードを前記代表キーワードとして決定してもよい。
【００３５】
類似コンテンツ決定部３２２は、前記代表キーワードと同一の代表キーワードを有するコンテンツを前記類似コンテンツとして決定する。上述したように、それぞれのコンテンツに対して代表キーワードを決定してもよい。類似コンテンツ決定部３２２は、前記検索されたコンテンツに対して決定した代表キーワードと同一のキーワードを代表キーワードとして有する他のコンテンツを前記類似コンテンツとして決定してもよい。この時、予め設定された数または制限された数に合うように前記類似コンテンツの数を調節してもよい。
【００３６】
コンテンツ提供部３３０は、前記ユーザクエリに対して前記検索されたコンテンツおよび前記類似コンテンツを提供する。この時、前記ユーザクエリはユーザ端末を介して受信してもよい。コンテンツ提供部３３０は、前記検索されたコンテンツおよび前記類似コンテンツを含むページ、または前記検索されたコンテンツおよび前記類似コンテンツをそれぞれ含むページのＵＲＬ情報を前記ユーザ端末に送信することによって、前記検索されたコンテンツおよび前記類似コンテンツを提供してもよい。
【００３７】
上述のように、本発明の一実施形態に係る検索結果提供システムまたは検索結果提供方法を利用すれば、ユーザが入力したユーザクエリによって検索されたコンテンツだけでなく、前記コンテンツとのコンテンツ類似度によって確認された類似コンテンツをさらに提供することにより、前記ユーザに前記ユーザクエリに該当するさらに多くの検索結果をより効率的に提供することができる。
【００３８】
図４は、本発明の一実施形態に係る広告提供方法を示すフローチャートである。本発明の一実施形態に係る広告提供方法は、本発明の一実施形態に係る広告提供システムによって実行される。図４では、前記広告提供システムがそれぞれのステップを実行する過程を説明することによって、前記広告提供方法を説明する。
【００３９】
ステップＳ４１０において、前記広告提供システムは、ユーザクエリに該当するキーワードを購入した広告主の広告を検索する。例えば、ユーザクエリとして「バスケットボール」が入力された場合、前記広告提供システムは前記ユーザクエリ「バスケットボール」をキーワードとして購入した広告主の広告を検索してもよい。
【００４０】
ステップＳ４２０において、前記広告提供システムは、前記広告主の広告のうち少なくとも一部に基づいて類似広告を確認する。前記広告提供システムは、前記広告主の広告のうち少なくとも一部に含まれる語彙に基づくコンテンツ間の類似度によって前記類似広告を確認してもよい。例えば、前記広告提供システムは、図４に示すようにステップＳ４２０にステップＳ４２１およびステップＳ４２２を含んで実行してもよい。
【００４１】
ステップＳ４２１において、前記広告提供システムは、前記広告主の広告のうち少なくとも一部に対する代表キーワードを確認する。前記代表キーワードはクリックログに基づいて決定してもよい。例えば、ユーザクエリに対して表示する広告のＵＲＬに対するクリックログに基づいて前記広告に対して最も多いクリックを誘発するユーザクエリを前記代表キーワードとして決定してもよい。または、前記クリックログの代わりに前記広告コンテンツや前記広告に対して広告主が入力したＴ＆Ｄ（Ｔｉｔｌｅ  ａｎｄ  Ｄｅｓｃｒｉｐｔｉｏｎ）に基づいて前記代表キーワードを確認してもよい。例えば、前記広告コンテンツに含まれる語彙または、前記Ｔ＆Ｄに含まれる語彙のうち最も多く登場する語彙が入力されたユーザクエリと単語間の関連度が最も高い語彙を前記代表キーワードとして確認してもよい。
【００４２】
ステップＳ４２２において、前記広告提供システムは、前記代表キーワードと同一の代表キーワードを有する広告を前記類似広告として決定する。上述したように、それぞれの広告に対して代表キーワードを決定してもよい。前記広告提供システムは、前記広告主の広告に対して決定した代表キーワードと同一のキーワードを代表キーワードとして有する他の広告を前記類似広告として決定してもよい。この時、前記類似広告の数は、予め設定された数または制限された数に応じて調節してもよい。
【００４３】
ステップＳ４３０において、前記広告提供システムは、前記ユーザクエリに対して前記広告主の広告および前記類似広告を提供する。前記広告提供システムは、前記広告主の広告および前記類似広告を含むページまたは前記ページに対するＵＲＬ情報をユーザのユーザ端末に送信することによって、前記広告主の広告および前記類似広告を提供してもよい。
【００４４】
すなわち、前記広告提供システムは、前記ユーザクエリに対して前記広告主の広告だけでなく前記広告主の広告と関連する前記類似広告をさらに表示させることができ、広告主の立場では広告の効果と売上げを高めることができ、広告を提供するメディアの立場では広告表示に係る売上げを高めることができる。
【００４５】
図５は、本発明の一実施形態に係る広告を提供する方法の一例を示す図である。ユーザからユーザクエリ「サッカーシューズ」５０１が入力された場合、本発明の一実施形態に係る広告提供システムは、ユーザクエリ「サッカーシューズ」５０１を介してキーワード「サッカーシューズ」を購入した第１広告主情報５０２を得ることができ、ＵＲＬ情報を前記ユーザに表示させることによって、前記ユーザが第１広告文書５０３に容易にアクセスできるようにしてもよい。前記広告提供システムは、類似広告としてキーワード「サッカーシューズ」を購入しなかった第２広告主情報５０４を介して第２広告文書５０５に対するＵＲＬ情報を前記ユーザに提供してもよい。
【００４６】
上述の処理のために、前記広告提供システムは、前記ＵＲＬ情報とクリックログに基づき、Ｔ＆Ｄ情報または第１広告文書５０３上の語彙に基づいて広告主の広告に対する代表キーワード「スニーカー」５０６を決定してもよい。また、前記広告提供システムは、他の広告のうちで代表キーワード「スニーカー」５０６と同一の代表キーワードを有する広告を前記類似広告として確認してもよく、第１広告文書５０３と第２広告文書５０５に対するＵＲＬ情報をすべてユーザに提供することによって、ユーザクエリ「サッカーシューズ」５０１に対する第１広告文書５０３だけでなく第１広告文書５０３と類似する第２広告文書５０５を提供することによって、広告の効果および売上げを高めることができる。
【００４７】
図６は、本発明の一実施形態に係る広告提供システムの内部構成を示すブロック図である。図６に示すように、本発明の一実施形態に係る広告提供システム６００は、広告検索部６１０、類似広告確認部６２０、および広告提供部６３０を含む。
【００４８】
広告検索部６１０は、ユーザクエリに該当するキーワードを購入した広告主の広告を検索する。例えば、ユーザクエリとして「バスケットボール」が入力された場合、広告検索部６１０は前記ユーザクエリ「バスケットボール」をキーワードとして購入した広告主の広告を検索してもよい。
【００４９】
類似広告確認部６２０は、前記広告主の広告のうち少なくとも一部に基づいて類似広告を確認する。類似広告確認部６２０は、前記広告主の広告のうち少なくとも一部に含まれる語彙に基づくコンテンツ間の類似度によって前記類似広告を確認してもよい。例えば、類似広告確認部６２０は、図６に示すように代表キーワード確認部６２１および類似広告決定部６２２を含んでもよい。
【００５０】
代表キーワード確認部６２１は、前記広告主の広告のうち少なくとも一部に対する代表キーワードを確認する。前記代表キーワードはクリックログに基づいて決定してもよい。例えば、ユーザクエリに対して表示する広告のＵＲＬに対するクリックログに基づいて前記広告に対して最も多いクリックを誘発するユーザクエリを前記代表キーワードとして決定してもよい。または、前記クリックログでなく前記広告コンテンツや前記広告に対して広告主が入力したＴ＆Ｄに基づいて前記代表キーワードを確認してもよい。例えば、前記広告コンテンツに含まれる語彙、または前記Ｔ＆Ｄに含まれる語彙のうち最も多く登場する語彙が入力されたユーザクエリと単語間の関連度が最も高い語彙を前記代表キーワードとして確認してもよい。
【００５１】
類似広告決定部６２２は、前記代表キーワードと同一の代表キーワードを有する広告を前記類似広告として決定する。上述したように、それぞれの広告に対して代表キーワードを決定してもよい。類似広告決定部６２２は前記広告主の広告に対して決定した代表キーワードと同一のキーワードを代表キーワードとして有する他の広告を前記類似広告として決定してもよい。この時、前記類似広告の数は、予め設定された数または制限された数に応じて調節してもよい。
【００５２】
広告提供部６３０は、前記ユーザクエリに対して前記広告主の広告および前記類似広告を提供する。広告提供部６３０は、前記広告主の広告および前記類似広告を含むページまたは前記ページに対するＵＲＬ情報をユーザのユーザ端末に送信することによって、前記広告主の広告および前記類似広告を提供してもよい。
【００５３】
上述のように、本発明の一実施形態に係る広告提供システムまたは広告提供方法を利用すれば、ユーザが入力したユーザクエリによって検索された広告だけでなく、前記広告とコンテンツの類似度によって確認された類似広告をさらに提供することにより、前記ユーザに追加広告を効率的に提供することができ、広告の効果と売上げを高めることができる。
【００５４】
図７は、本発明の他の実施形態に係る広告提供方法を示すフローチャートである。ここで、本発明の他の実施形態に係る広告提供方法は、本発明の他の実施形態に係る広告提供システムによって実行される。図７では、前記広告提供システムにおいて、それぞれのステップを実行する過程を説明することによって前記広告提供方法を説明する。
【００５５】
ステップＳ７１０において、前記広告提供システムは、ユーザクエリに該当するコンテンツを検索する。前記広告提供システムは、ユーザから入力された前記ユーザクエリに対して検索エンジンなどを用いて前記ユーザクエリに該当するコンテンツを検索してもよい。
【００５６】
ステップＳ７２０において、前記広告提供システムは、前記コンテンツのうち広告を除く残りのコンテンツの少なくとも一部に基づいて追加広告を確認する。前記広告提供システムは、前記残りのコンテンツの少なくとも一部に含まれる語彙に基づくコンテンツ間の類似度によって前記追加広告を確認してもよい。この処理のために、前記広告提供システムは、ステップＳ７２０に図７に示すようにステップＳ７２１およびステップＳ７２２を含んで実行してもよい。
【００５７】
ステップＳ７２１において、前記広告提供システムは、前記残りのコンテンツの少なくとも一部に対する代表キーワードを確認する。例えば、前記残りのコンテンツは上述したように広告を除いた一般文書を含んでもよく、この場合、前記広告提供システムは、前記残りのコンテンツとしての一般文書のそれぞれに対して前記代表キーワードを確認してもよい。この時、前記代表キーワードは、前記一般文書の表示に利用されたユーザクエリおよびクリックログに基づいて決定し、または前記一般文書の少なくとも一部に含まれる語彙に基づいて決定してもよい。
【００５８】
ステップＳ７２２において、前記広告提供システムは、前記代表キーワードと同一の代表キーワードを有する広告を前記追加広告として決定する。上述したように、それぞれの広告に対して代表キーワードを決定してもよい。前記広告提供システムは前記残りのコンテンツに対して決定した代表キーワードと同一のキーワードを代表キーワードとして有する他の広告を前記追加広告として決定してもよい。この時、前記追加広告の数は予め設定された数または制限された数に応じて調節してもよい。
【００５９】
ステップＳ７３０において、前記広告提供システムは、前記コンテンツおよび前記追加広告を提供する。前記ユーザクエリはユーザのユーザ端末を介して受信してもよく、前記広告提供システムは前記コンテンツおよび前記追加広告を含むページ、または前記コンテンツおよび前記追加広告をそれぞれ含むページのＵＲＬ情報を前記ユーザ端末に送信することによって、前記コンテンツおよび前記追加広告を提供してもよい。
【００６０】
図８は、本発明の一実施形態に係る広告を提供する方法の一例を示す図である。ユーザクエリ「サッカーシューズ」８０１が入力されて検索結果として複数の一般文書と広告を含む検索結果８０２が確認された場合、本発明の他の実施形態に係る広告提供システムは、前記複数の広告を除く残りのコンテンツ、すなわち、少なくとも１つの一般文書に対してのみ代表キーワードを確認してもよい。この時、代表キーワードがユーザクエリ「サッカーシューズ」８０１と同一である一般文書は、前記残りのコンテンツに含まれてもよく、前記残りのコンテンツから除外してもよい。図８の例では、ユーザクエリ「サッカーシューズ」８０１と同一の代表キーワードを有する一般文書は、前記残りのコンテンツから除外されるという過程によって広告提供方法を説明する。すなわち、第３一般文書８０３のように代表キーワード「スニーカー」８０４を有する残りのコンテンツと同一の代表キーワードを有する第３広告８０５を検索結果８０２に含ませてユーザに提供することにより、広告の表示を増加させることができる。
【００６１】
図９は、本発明の他の実施形態に係る広告提供システムの内部構成を示すブロック図である。図９に示すように、本発明の一実施形態に係る広告提供システム９００は、コンテンツ検索部９１０、追加広告確認部９２０、および広告提供部９３０を含む。
【００６２】
コンテンツ検索部９１０は、ユーザクエリに該当するコンテンツを検索する。コンテンツ検索部９１０は、ユーザから入力された前記ユーザクエリに対して検索エンジンなどを用いて前記ユーザクエリに該当するコンテンツを検索してもよい。
【００６３】
追加広告確認部９２０は、前記コンテンツのうち広告を除く残りのコンテンツの少なくとも一部に基づいて追加広告を確認する。追加広告確認部９２０は、前記残りのコンテンツの少なくとも一部に含まれる語彙に基づくコンテンツ間の類似度によって前記追加広告を確認してもよい。この処理のために、追加広告確認部９２０は、図９に示すように代表キーワード確認部９２１および追加広告決定部９２２を含んでもよい。
【００６４】
代表キーワード確認部９２１は、前記残りのコンテンツの少なくとも一部に対する代表キーワードを確認する。例えば、前記残りのコンテンツは、上述したように広告を除いた一般文書を含んでもよく、この場合、代表キーワード確認部９２１は前記残りのコンテンツとしての一般文書のそれぞれに対して前記代表キーワードを確認してもよい。前記代表キーワードは、前記一般文書の表示に利用されたユーザクエリおよびクリックログに基づいて決定し、または前記一般文書のうち少なくとも一部に含まれる語彙に基づいて決定してもよい。
【００６５】
追加広告決定部９２２は、前記代表キーワードと同一の代表キーワードを有する広告を前記追加広告として決定する。上述したように、それぞれの広告に対して代表キーワードを決定してもよい。追加広告決定部９２２は前記残りのコンテンツに対して決定した代表キーワードと同一のキーワードを代表キーワードとして有する他の広告を前記追加広告として決定してもよい。この時、前記追加広告の数は、予め設定された数または制限された数に応じて調節してもよい。
【００６６】
広告提供部９３０は、前記コンテンツおよび前記追加広告を提供する。前記ユーザクエリはユーザのユーザ端末を介して受信してもよく、広告提供部９３０は前記コンテンツおよび前記追加広告を含むページ、または前記コンテンツおよび前記追加広告をそれぞれ含むページのＵＲＬ情報を前記ユーザ端末に送信することによって、前記コンテンツおよび前記追加広告を提供してもよい。
【００６７】
このように、本発明の他の実施形態に係る広告提供システムまたは広告提供方法を利用すれば、ユーザが入力したユーザクエリによって検索されたコンテンツのうち広告を除く残りのコンテンツによって追加広告を提供することによって、ユーザに追加広告を効率的に提供することができ、広告の効果と売上げを高めることができる。
【００６８】
本発明に係る実施形態は、コンピュータにより実現される多様な動作を実行するためのプログラム命令を含むコンピュータ読取可能な記録媒体を含む。前記記録媒体は、プログラム命令、データファイル、データ構造などを単独または組み合わせて含むこともできる。前記記録媒体及びプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー(登録商標)ディスクおよび磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コードだけでなく、インタプリタなどを用いてコンピュータによって実行され得る高級言語コードを含む。上述のハードウェア装置は、本発明の動作を行うために１つ以上のソフトウェアモジュールとして作動するように構成されてもよい。
【００６９】
上述したように、本発明では具体的な構成要素などと同じ特定事項と限定された実施形態および図面によって説明したが、これは本発明のより全般的な理解を助けるために提供されたものであり、本発明は、前記の実施形態に限定されるものではなく、本発明が属する分野で通常の知識を持つ者であれば、このような記載から多様な修正および変形が可能である。
【００７０】
したがって、本発明の思想は説明した実施形態に限定されてはならず、後述する特許請求の範囲だけでなく、この特許請求の範囲と均等であるか等価な変形のあるすべてのもを本発明の思想の範囲に属するものとする。
【図１】
2011519103.tif 000003
【図２】
2011519103.tif 000004
【図３】
2011519103.tif 000005
【図４】
2011519103.tif 000006
【図５】
2011519103.tif 000007
【図６】
2011519103.tif 000008
【図７】
2011519103.tif 000009
【図８】
2011519103.tif 000010
【図９】
2011519103.tif 000011
【国際調査報告】
2011519103.tif 000012
2011519103.tif 000013
2011519103.tif 000014
2011519103.tif 000015